(57)【要約】【課題】インターネット等のネットワークを利用した遠隔操作による遠隔受託測定を行う。【解決手段】受託サーバ１００は、測定依頼者端末２０１からの遠隔操作に基づいて、測定装置３０１の試料測定を制御する測定装置制御部５１と、測定装置３０１から試料の測定データを時系列に取得する測定データ取得部５２と、測定装置３０１における測定中の測定条件をモニターする測定条件モニター部５３と、測定データ及び測定条件を測定依頼者端末２０１に送信する送信部７１と、測定依頼者端末２０１から測定依頼の情報を受信する受信部７２とを備える。【選択図】      図３
2004158927.tif 000002
【特許請求の範囲】
【請求項１】
通信ネットワークと、前記通信ネットワークに接続された受託サーバ、測定装置、及び測定依頼者端末とからなり、遠隔受託測定を支援するためのシステムに用いられる受託サーバにおいて、
前記受託サーバは、前記測定依頼者端末からの遠隔操作に基づいて、前記測定装置の試料測定を制御する測定装置制御部と、
前記測定装置から前記試料の測定データを時系列に取得する測定データ取得部と、
前記測定装置における測定中の測定条件をモニターする測定条件モニター部と、
前記測定データ及び前記測定条件を前記測定依頼者端末に送信する送信部と、
前記測定依頼者端末から測定依頼の情報を受信する受信部
とを備えることを特徴とする遠隔受託測定システム。
【請求項２】
前記測定依頼者端末は、それぞれ、前記測定装置を遠隔操作する遠隔操作部を備えることを特徴とする請求項１に記載の遠隔受託測定システム。
【請求項３】
前記受託サーバは、前記測定依頼者端末から測定装置の使用時間、前記測定装置の種類、及び前記測定データの数に応じて課金処理を行う課金処理部を更に備えることを特徴とする請求項１に記載の遠隔受託測定システム。
【請求項４】
前記測定装置又は前記測定依頼者端末は複数からなることを特徴とする請求項１乃至３のいずれか１項に記載の遠隔受託測定システム。
【請求項５】
測定依頼者端末から通信ネットワークを介して測定依頼の情報を受信するステップと
前記測定依頼の情報に基づいて、前記測定依頼者端末からの遠隔操作により、測定装置の試料測定を制御するステップと、
前記測定装置から前記試料の測定データを時系列に取得するステップと、
前記測定装置における測定中の測定条件をモニターするステップと、
前記測定データ及び前記測定条件を、通信ネットワークを介して前記測定依頼者端末に送信するステップ
とを有することを特徴とする遠隔受託測定方法。
【請求項６】
前記測定装置又は前記測定依頼者端末は複数からなることを特徴とする請求項５に記載の遠隔受託測定方法。
【発明の詳細な説明】
【０００１】
【発明の属する技術分野】
本発明は、インターネット等のネットワークを利用した遠隔操作による遠隔受託測定システム及び遠隔受託測定方法に関する。
【０００２】
【従来の技術】
企業、大学、研究機関などにおいては、様々な分析装置や測定装置が利用されている。それらの装置の使用方法を習得して使いこなすためには、熟練した技術が要求されることが多い。また、それらの装置を使って各種の試料を分析、測定するためには、その前準備の試料調製において、長年の経験やノウハウに基づく高度な技術が必要とされる場合が多い。さらにまた、測定装置の高い性能を維持するためには、高度なメンテナンスを日常的に行う必要がある。それゆえに、企業、大学、研究機関などが新規に分析装置や測定装置を導入したとしても、導入後にただちに使いこなして、精度の良い測定データを取得することは困難である。また、それらの装置の価格が高価な場合には、予算の問題で、必ずしも全ての企業や研究機関などが購入できるとは限らない。また、より良い測定データを取得するためには、装置性能だけではなく、装置の設置場所や建物などの環境整備の必要が生じるなど、様々な問題がある。
【０００３】
そこで、現在、そのような測定依頼者の要望に応えるため、受託測定を専門に請け負う受託測定サービス会社が存在する。すなわち、様々な分析装置や測定装置を所有、管理しておいて、測定依頼者からの分析依頼に対して、最適な装置を選択し、測定依頼者が必要とする測定データを取得し、それを測定依頼者にフィードバックする受託測定サービス業務などである。
【０００４】
【特許文献１】
特開２０００−３４０１５６公報
【０００５】
【特許文献２】
特開２０００−１２３７７０公報
【０００６】
【特許文献３】
特開平９−６３５２９号公報
【０００７】
【発明が解決しようとする課題】
このような受託測定サービス業務には、いくつかの問題点がある。例えば、一般的な受託測定の場合、測定依頼者が準備した試料に対して測定を行い、いくつかの測定データ（写真、測定値等）を取得し、その中から受託測定者の判断により適切と思われる測定データを報告書などで測定依頼者にフィードバックすることが多い。しかしながら、その測定データが必ずしも測定依頼者が希望する部分の測定データであるとは限らない。例えば、よくある事例として、受託測定者が電子顕微鏡や走査型プローブ顕微鏡などで試料を観察し、測定依頼者に測定結果の画像を報告した場合、測定依頼者が希望する測定箇所の画像と異なる場合がある。このような場合、受託測定者は、測定依頼者の要望に応じて、再度測定を行わなければならず、測定依頼者は必要とするデータが得られるまでさらに時間を要する問題があった。また、測定対象の試料が研究開発中の新製品などの場合、事前にどのような測定結果が得られるかが必ずしも予測できないので、一度測定を依頼して、その測定結果の報告書に基づいて、再度測定を依頼するなどの手間がかかることがある。この場合も、測定データをできる限り早く知りたい測定依頼者にとっては、大きな時間の損失となる。
【０００８】
そこで、本発明は上記問題に鑑みてなされたもので、インターネット等のネットワークの通信技術を利用して遠隔操作による遠隔受託測定システム及び遠隔受託測定方法を提供することを目的とする。
【０００９】
【課題を解決するための手段】
上記課題を解決するために、本発明の第１の特徴は、通信ネットワークと、通信ネットワークに接続された受託サーバ、測定装置、及び測定依頼者端末とからなり、遠隔受託測定を支援するためのシステムに用いられる受託サーバにおいて、受託サーバは、測定依頼者端末からの遠隔操作に基づいて、測定装置の試料測定を制御する測定装置制御部と、測定装置から試料の測定データを時系列に取得する測定データ取得部と、測定装置における測定中の測定条件をモニターする測定条件モニター部と、測定データ及び測定条件を測定依頼者端末に送信する送信部と、測定依頼者端末から測定依頼の情報を受信する受信部とを備える遠隔受託測定システムであることを要旨とする。本発明の第１の特徴において、測定依頼者端末は、それぞれ、測定装置を遠隔操作する遠隔操作部を備えることが好ましい。さらに、受託サーバは、測定依頼者端末から測定装置の使用時間、測定装置の種類、及び測定データの数に応じて課金処理を行う課金処理部を更に備えることが好ましい。
【００１０】
本発明の第２の特徴において、測定依頼者端末から通信ネットワークを介して測定依頼の情報を受信するステップと測定依頼の情報に基づいて、測定依頼者端末からの遠隔操作により、測定装置の試料測定を制御するステップと、測定装置から試料の測定データを時系列に取得するステップと、測定装置における測定中の測定条件をモニターするステップと、測定データ及び測定条件を、通信ネットワークを介して測定依頼者端末に送信するステップとを有する遠隔受託測定方法であることを要旨とする。
【００１１】
本発明の第１及び第２の特徴によれば、受託測定を請け負う業者は、受託サーバ及び通信ネットワークを介して、試料の測定データを測定依頼者端末の表示装置に表示できる。また、測定依頼者端末の表示装置に表示された測定データに対して、測定依頼者端末から通信ネットワークを介して測定箇所や測定条件の変更を受けつけることが可能である。さらに、測定依頼者は、受託サーバ及び通信ネットワークを介して、受託測定センターにおいて高性能に維持、管理された測定装置を遠隔操作して測定データを得ることができる。
【００１２】
【発明の実施の形態】
次に、図面を参照して、本発明の実施の形態を説明する。以下の図面の記載において、同一又は類似の部分は同一又は類似の符号を付している。ただし、図面は模式的なものであり、各寸法の比率等は現実のものとは異なることに留意すべきである。従って、具体的な寸法等は以下の説明を参酌して判断すべきものである。また図面相互間においても互いの寸法の関係や比率が異なる部分が含まれていることは勿論である。
【００１３】
本発明の実施の形態に係る遠隔受託測定システムは、図１に示すように、通信ネットワーク１と、この通信ネットワーク１に接続された測定依頼者端末２０１，２０２，・・・・・と、受託測定センター２の測定装置３０１，３０２，・・・・・と、受託サーバ１００とから少なくとも構成されている。ここで、測定装置３０１，３０２，・・・・・とは、分析装置や測定装置等の総称を意味する。例えば、走査型トンネル顕微鏡（ＳＴＭ）、原子間力顕微鏡（ＡＦＭ）、摩擦力顕微鏡（ＬＦＭ）、マクスウエル応力顕微鏡、磁気力顕微鏡（ＭＦＭ）等の走査型プローブ顕微鏡（ＳＰＭ）や、走査型電子顕微鏡（ＳＥＭ）、透過型電子顕微鏡（ＴＥＭ）、オージエ電子分光（ＡＥＳ）装置、２次イオン質量分析（ＳＩＭＳ）装置等である。また、通信ネットワーク１とは、電気通信技術を利用した通信網全般を意味し、例えば、電気通信回線、ＴＣＰ／ＩＰをベースとしたインターネットシステム、ＷＡＮ、ＬＡＮ、光ファイバ通信、ケーブル通信、衛星通信等の利用が考えられる。また、通信ネットワーク１は、双方向の通信が可能で十分な信頼性を持つ通信レベルのネットワークを構成している。
【００１４】
図２は、本発明の実施の形態に係る遠隔受託測定システムに用いる測定依頼者の機能ブロック図である。簡単化のために、図２では、図１に示した測定依頼者端末２０１，２０２，・・・・・の内で、測定依頼者端末２０１のみを示している。
【００１５】
本発明の実施の形態に係る測定依頼者端末２０１は、図２に示すように、遠隔操作部１０を備える。更に、本発明の実施の形態に係る測定依頼者端末２０１は、送信部２１及び受信部２２を有する。この送信部２１は、測定依頼の情報、測定装置の制御情報を受託サーバ１００に送信する。一方、受信部２２は、受託サーバ１００から測定データを受信する。更に、測定依頼者端末２０１には、図２に示すように、入力装置３１，表示装置３２，出力装置３３等が接続されている。入力装置３１は、キーボード、マウス、ライトペン又はフレキシブルディスク装置などで構成可能である。又、表示装置３２はブラウン管や液晶表示装置等の表示装置等で構成し、測定データ等をモニターできる。出力装置３３は、プリンタ装置などにより構成可能である。また、測定依頼者端末２０１，２０２，・・・・・には、画像データ、音声データ、あるいは動画データ等を通信ネットワーク１を介して受託サーバ１００と双方向に送受信できるように、マイクやテレビカメラ等を備えてもよい。
【００１６】
図３は、本発明の実施の形態に係る遠隔受託測定システムに用いる受託サーバ１００の機能ブロック図である。
【００１７】
本発明の実施の形態に係る受託サーバ１００は、図３に示すように、ユーザ登録部４０、ユーザ認証部４１、課金処理部４２、測定装置制御部５１、測定データ取得部５２、測定条件モニター部５３を備える。
【００１８】
ユーザ登録部４０は、測定依頼を新たに利用する場合、測定依頼者が行うユーザ登録を制御する。また、ユーザ登録部４０は、（ａ）測定依頼者のユーザ番号、氏名、住所、電話番号、メールアドレス等のユーザ情報、（ｂ）カード会社名、有効期限、カード番号等の決済情報、（ｃ）パスワード等の認証情報、（ｄ）測定依頼日、使用した測定装置、試料情報、測定条件等の測定の履歴情報をユーザ登録記憶装置４５に登録、更新を行う。ユーザ認証部４１は、既にユーザ登録を行った測定依頼者が、測定装置３０１，３０２，・・・・・の遠隔操作や、測定データを取得する時に入力するユーザ番号、パスワードを認証する。その際、ユーザ登録記憶装置４５の参照を行う。課金処理部４２は、測定依頼者が遠隔操作により測定装置を使用した場合における使用時間、使用した測定装置の種類、使用した消耗品量、取得したデータ数などに応じて課金処理を行う。測定装置制御部５１は、測定依頼者端末２０１，２０２，・・・・・の遠隔操作部の操作に基づいて、測定装置３０１，３０２，・・・・・を制御する。測定データ取得部５２は、測定装置３０１，３０２，・・・・・から各種測定結果や測定プロセスを時系列に取得する。また、測定データ取得部５２は、測定装置３０１，３０２，・・・・・から得られる画像、動画、波形、信号、数値、音、文字データ等の各種測定データを測定データ記憶装置６１に記録する。測定条件モニター部５３は、測定装置３０１，３０２，・・・・・の測定中における測定条件をモニターする。測定条件に関するデータは、例えば、測定中の試験環境（大気中の気温、湿度）や、液中測定の場合には試料のｐＨ値、温度等である。また、測定条件モニター部５３は、モニターした測定条件を測定条件記憶装置６２に記憶する。
【００１９】
更に、本発明の実施の形態に係る受託サーバ１００は、測定データを時系列に記録する測定データ記憶装置６１、測定条件に関するデータを記録する測定条件記憶装置６２を有する。更に、本発明の実施の形態に係る受託サーバ１００は、送信部７１及び受信部７２を有する。この送信部７１は、測定データ、測定条件等を測定依頼者端末２０１，２０２，・・・・・に送信する。一方、受信部７２は、測定依頼者端末２０１，２０２，・・・・・から測定依頼に関する情報を受信する。更に、受託サーバ１００には、図３に示すように、入力装置８１，表示装置８２，出力装置８３等が接続されている。
【００２０】
本発明の実施の形態に係る受託サーバ１００において、上記のユーザ登録記憶装置４５、測定データ記憶装置６１、測定条件記憶装置６２は、周知の磁気テープ、磁気ドラム、磁気ディスク、光ディスク、光磁気ディスク、あるいはＲＯＭ、ＲＡＭなどの半導体メモリー等で構成可能である。又、データベースサーバを用意し、このデータベースサーバのハードディスク等の記憶装置を用いても良い。受託サーバ１００の備えるユーザ登録部４０、ユーザ認証部４１、課金処理部４２、測定装置制御部５１、測定データ取得部５２、測定条件モニター部５３等は、専用のハードウェアで実現しても良い。又、汎用のコンピュータシステムのハードウェアを用いて、このハードウェアを所定のソフトウェアにより駆動・制御することにより、ユーザ登録部４０、ユーザ認証部４１、課金処理部４２、測定装置制御部５１、測定データ取得部５２、測定条件モニター部５３の機能を実現してもかまわない。即ち、本発明の実施の形態に係る受託サーバ１００は、その内部に備えられた処理制御部（ＣＰＵ）が、所定のプログラム記憶部に記憶されたプログラム命令等を、必要に応じて、ＣＰＵに読み込むことにより、上記システムのユーザ登録部４０、ユーザ認証部４１、課金処理部４２、測定装置制御部５１、測定データ取得部５２、測定条件モニター部５３の機能に必要な所定の演算処理を実行することが出来る。図３に示す入力装置８１は、キーボード、マウス、ライトペン又はフレキシブルディスク装置などで構成可能であり、この入力装置８１を介して、ユーザ登録部４０、ユーザ認証部４１、課金処理部４２、測定装置制御部５１、測定データ取得部５２、測定条件モニター部５３を機能させるための必要な情報や指示を入力する。表示装置８２はブラウン管や液晶表示装置等で構成し、測定データ等をモニターできる。出力装置８３は、プリンタ装置などにより構成可能である。なお、本発明の実施の形態に係る受託サーバ１００において実現している機能を、ＣＰＵ負荷などを考慮して複数のコンピュータで分散して実現してもかまわない。
【００２１】
本発明の実施の形態に係る遠隔受託測定システムによれば、受託測定を請け負う業者は、受託サーバ１００及び通信ネットワーク１を介して、試料の測定データを測定依頼者端末２０１，２０２，・・・・・の表示装置３２に表示できる。また、測定依頼者端末２０１，２０２，・・・・・の表示装置３２に表示された測定データに対して、測定依頼者端末２０１，２０２，・・・・・から通信ネットワーク１を介して測定箇所や測定条件の変更を受けつけることが可能である。さらに、測定依頼者は、受託測定センター２において高性能に維持、管理された測定装置３０１，３０２，・・・・・を遠隔操作して測定データを得ることができる。
【００２２】
図４は、本発明の実施の形態に係る測定依頼者端末２０１の処理動作の流れを示すフローチャートである。ここでは、簡単化のために、測定依頼者端末２０１，２０２，・・・・・の内で、測定依頼者端末２０１の処理動作の流れのみを示している。
【００２３】
（イ）まず、ステップＳ１０１において、測定依頼者端末２０１は、受託サーバに接続を行う。
【００２４】
（ロ）次に、ステップＳ１０２において、ユーザ情報、決済情報、認証情報など、ユーザ登録に必要な情報を、測定依頼者端末２０１において入力し、受託サーバ１００に送信部２１により送信する。
【００２５】
（ハ）その後、ステップＳ１０３において、受託サーバ１００から送信されるユーザ番号を受信部２２により受信する。
【００２６】
（ニ）次に、ステップＳ１０４において、測定依頼者端末２０１においてユーザ番号、パスワード等を入力する。入力されたユーザ番号、パスワード等は、送信部２１により受託サーバ１００に送信され、ステップＳ１０５において、認証チェックが行われる。認証されなかった場合には、ステップＳ１１０において、受託サーバ１００との接続が切断される。あるいは、ステップＳ１０４において、再びユーザ番号、パスワード等を入力するようにしても良い。認証された場合には、ステップＳ１０６に進む。
【００２７】
（ホ）次に、ステップＳ１０６において、測定依頼者端末２０１は、試料の測定依頼の情報を送信部２１により送信する。なお、測定対象となる試料は、あらかじめ郵便、宅配便、持参等により受託測定センター２に送られているものとする。ここで、受託測定センター２の受託測定者は、測定依頼者から送られてきた試料に対して最適な処理を行う。あるいは測定依頼の情報に基づいて試料調整を行う。そして、試料調製が完了したら、その試料を測定装置３０１の試料ステージ上に取り付ける。さらに、試料測定を開始するために必要な種々の操作や装置設定等を受託測定者側で行う。具体的には、測定装置３０１の電源スイッチの投入、各種の設定ツマミやスイッチを所定の値にセット、あるいは試料ステージ上の試料を所望の測定箇所へ移動等の操作である。これらの操作のうち、通信ネットワーク１経由で操作できる設定に関しては、測定依頼者端末２０１から通信ネットワーク１を介して設定することも可能である。
【００２８】
（ヘ）次に、ステップＳ１０７において、測定依頼者端末２０１は、試料測定の遠隔操作を行うか否かを判断する。遠隔操作を行わない場合には、測定データ受信の待機状態となる。すなわち、受託測定センター２の受託測定者による試料測定が行われ、測定依頼者端末２０１は、その測定結果を受信部２２により受信する状態となる。一方、遠隔操作を行う場合には、ステップＳ１０８に進む。
【００２９】
（ト）ステップＳ１０８において、測定依頼者端末２０１の遠隔操作部１０により通信ネットワーク１及び受託サーバ１００の測定装置制御部５１を介して測定装置３０１を遠隔操作し、試料の測定を行う。
【００３０】
（チ）次に、ステップＳ１０９において、受託サーバ１００から送信される試料の測定データを受信部２２により受信する。測定依頼者は、測定依頼者端末２０１の表示装置３２により、測定データを閲覧する。測定依頼者は、測定依頼者端末２０１に送信される時々刻々変化する測定データを見ながら、必要な測定データを取得する。なお、必要に応じて測定箇所や測定条件の設定変更したい場合、測定依頼者端末２０１から測定依頼の変更情報を送信部２１により、受託サーバ１００に送信する。
【００３１】
（リ）最後に、ステップＳ１１０において、受託サーバ１００との接続を切断する。
【００３２】
図５は、本発明の実施の形態に係る受託サーバ１００の処理動作の流れを示すフローチャートである。ここでは、簡単化のために、測定依頼者端末２０１，２０２，・・・・・の内で、測定依頼者端末２０１からの接続を受け付けるものとする。
【００３３】
（イ）まず、図４のステップＳ１０１に対応して、ステップＳ２０１において、受託サーバ１００は、測定依頼者端末２０１からの接続を受け付ける。
【００３４】
（ロ）次に、ステップＳ２０２において、受託サーバ１００は、測定依頼者端末２０１から送信されたユーザ情報、決済情報、認証情報など、ユーザ登録に必要な情報を受信部７２により受信する。ここで、受信したデータが正当であるか否かのチェックを行い、受信したデータが正当でない場合には、再度測定依頼者端末２０１にデータを入力させても良い。チェック終了後、ユーザ登録部４０によりユーザ番号を発行し、受信したユーザ情報、決済情報、認証情報などをユーザ登録記憶装置４５に記録し、ユーザ登録を行う。
【００３５】
（ハ）次に、ステップＳ２０３において、その後、発行されたユーザ番号を測定依頼者端末２０１に送信部７１により送信する。
【００３６】
（ニ）次に、ステップＳ２０４において、受託サーバ１００は、測定依頼者端末２０１から送信されたユーザ番号、パスワードを受信部７２により受信し、ステップＳ２０５において、ユーザ認証部４１により、ユーザ登録記憶装置４５を参照して、認証チェックを行う。認証しなかった場合には、ステップＳ２１２において、測定依頼者端末２０１からの接続を切断する。あるいは、ステップＳ２０４において、再びユーザ番号、パスワード等を測定依頼者端末２０１から送信させても良い。認証した場合には、ステップＳ２０６に進む。
【００３７】
（ホ）次に、ステップＳ２０６において、測定依頼者端末２０１から送信された測定依頼の情報を受信部７２により受信し、測定依頼の情報を、測定依頼情報記憶装置（図示省略）に記憶する。測定依頼情報記憶装置は、受託サーバ１００に内蔵された主記憶装置を用いても良く、外付けの補助記憶装置を用いてもかまわない。ここで、測定依頼の情報とは、情報分析の目的、測定手段、測定に必要な各種データ、測定費用等の情報である。
【００３８】
（ヘ）次に、ステップＳ２０７において、受託サーバ１００は、測定依頼者端末２０１から遠隔操作を行うか否かの判断を受け付ける。測定依頼者端末２０１から遠隔操作の命令を受け付けなかった場合には、受託測定センター２の受託測定者が、測定装置３０１を操作して試料の測定を行う。一方、ステップＳ２０７において、測定依頼者端末２０１から遠隔操作の命令を受け付けた場合には、ステップＳ２０８に進む。
【００３９】
（ト）ステップＳ２０８において、測定装置制御部５１は、測定依頼者端末２０１の遠隔操作部１０からの遠隔操作に基づいて、測定装置３０１の制御を行い、試料の測定を行う。ここで、ステップＳ２０７に対応して、ステップＳ２０９において、課金処理部４２は、測定依頼者端末２０１からの遠隔操作による測定装置３０１の使用時間に応じて課金処理を行う。
【００４０】
（チ）次に、ステップＳ２１０において、測定データ取得部５２は、測定装置３０１から各種測定結果や測定プロセスを時系列に取得し、取得した画像、動画、波形、信号、数値、音、文字データ等の各種測定データを測定データ記憶装置６１に記録する。また、測定条件モニター部５３は、測定中における測定装置３０１の測定条件をモニターし、モニターした測定条件を測定条件記憶装置６２に記憶する。測定データは、測定に応じて時々刻々変化するので、測定データ記憶装置６１に記録されるデータは、内容の変化に対応して、時間と共に更新されるデータである。
【００４１】
（リ）次に、ステップＳ２１１において、受託サーバ１００は、ステップＳ２１０で得られた測定データを、送信部７１及び通信ネットワーク１を介して、測定依頼者端末２０１に送信する。測定データは、測定に応じて変化するので、測定依頼者端末２０１に送信されるデータは、時間と共に変化する。なお、受託サーバ１００は、必要に応じて測定依頼者端末２０１から測定箇所や測定条件の設定変更を受信部７２により受け付ける。このとき、受託サーバ１００は、測定依頼者端末２０１から送信された変更情報を受信部７２により受信し、変更情報を、測定変更情報記憶装置（図示省略）に記憶する。そして、受託サーバ１００の測定装置制御部５１は、この変更情報に基づいて対応する測定装置３０１の制御対象を制御する。または、受託測定センター２の受託測定者が、測定箇所や測定条件の設定変更を行う。こうして、変更情報に基づく測定データは、受託サーバ１００の送信部７１及び通信ネットワーク１を介して測定依頼者端末２０１に送信する。
【００４２】
（ヌ）最後に、ステップ２１２において、受託サーバ１００は、測定依頼者端末２０１からの接続を切断する。
【００４３】
（その他の実施の形態）
上記のように、本発明の実施の形態によって記載したが、この開示の一部をなす記述及び図面はこの発明を限定するものであると理解すべきではない。この開示から当業者には様々な実施の形態、実施例及び運用技術が明らかになるはずである。本発明の実施の形態において、受託サーバ１００は、測定装置３０１，３０２，・・・・・の操作を、測定依頼者端末２０１，２０２，・・・・・からの遠隔操作により行うか受託測定センター２の受託測定者により行うかを判断しているが、測定装置の測定操作は、受託測定者と測定依頼者が共同で行うことも可能である。すなわち、受託サーバ１００、測定依頼者端末２０１，２０２，・・・・・双方のコンピュータ画面に、同じ測定データを表示し、その画面を見ながら、双方が打ち合わせを行いながら、測定を行うことが可能である。この方法によれば、取得した測定データを受託サーバ１００、測定依頼者端末２０１，２０２，・・・・・双方からリアルタイムに確認できるので、その測定データをもとに、次に測定すべき場所、測定条件等を即座に決定することができるので、測定作業に要する時間を大幅に短縮することが出来る。このように、本発明はここでは記載していない様々な実施の形態等を包含するということを理解すべきである。したがって、本発明の技術的範囲は上記の説明から妥当な特許請求の範囲に係る発明特定事項によってのみ定められるものである。
【００４４】
【発明の効果】
本発明によれば、受託測定を請け負う業者は、受託サーバ及び通信ネットワークを介して、試料の測定データを測定依頼者端末の表示装置に表示できる。また、測定依頼者端末の表示装置に表示された測定データに対して、測定依頼者端末から通信ネットワークを介して測定箇所や測定条件の変更を受けつけることが可能である。さらに、測定依頼者は、受託サーバ及び通信ネットワークを介して、受託測定センターにおいて高性能に維持、管理された測定装置を遠隔操作して測定データを得ることができる。
【図面の簡単な説明】
【図１】本発明の実施の形態に係る遠隔受託測定システムのブロック図である。
【図２】本発明の実施の形態に係る遠隔受託測定システムに用いる測定依頼者端末の機能ブロック図である。
【図３】本発明の実施の形態に係る遠隔受託測定システムに用いる受託サーバの機能ブロック図である。
【図４】本発明の実施の形態に係る遠隔受託測定システムに用いる測定依頼者端末の動作を説明するためのフローチャートである。
【図５】本発明の実施の形態に係る遠隔受託測定システムに用いる受託サーバの動作を説明するためのフローチャートである。
【符号の説明】
１  通信ネットワーク
２  受託測定センター
１０  遠隔操作部
２１，７１  送信部
２２，７２  受信部
３１，８１  入力装置
３２，８２  表示装置
３３，８３  出力装置
４０  ユーザ登録部
４１  ユーザ認証部
４２  課金処理部
４５  ユーザ登録記憶装置
５１  測定装置制御部
５２  測定データ取得部
５３  測定条件モニター部
６１  測定データ記憶装置
６２  測定条件記憶装置
１００…受託サーバ
２０１，２０２，２０３  測定依頼者端末
３０１，３０２，３０３  測定装置
【図１】
2004158927.tif 000003
【図２】
2004158927.tif 000004
【図３】
2004158927.tif 000005
【図４】
2004158927.tif 000006
【図５】
2004158927.tif 000007